(57)【要約】【課題】正確な多色化効果評価を行うことを可能とする表示装置及び電子機器を提供することを目的とする。【解決手段】本発明においては、赤、緑、青の３原色に、色度図上の上記３原色の各点を結んで形成される三角形状の領域以外の色度図上の点として規定される他の色を加えた４色以上の色を表示する表示部を備えており、上記３原色と上記４色以上を切り替えて表示する。また、１画素は、縦方向又は横方向に３分割したいずれの際にも、３分割した全ての領域に、１画素を構成する全ての色を配置する。【選択図】    図４
2006276797.tif 000002
【特許請求の範囲】
【請求項１】
データ入力部とデータ変換部と電気光学装置とを備える表示装置であって、
前記電気光学装置は、赤、緑、青の３原色に、
色度図上の前記３原色の各点を結んで形成される三角形状の領域以外の色度図上の点として規定される他の色を加えた４色以上の色を表示する表示部を備えており、
前記データ変換部は前記３原色と前記４色以上を切り替えて表示する、
事を特徴とする表示装置。
【請求項２】
前記表示部は、複数の画素で構成されており、
前記３原色での表示時と前記４色以上での表示時の双方において、前記画素を構成する各色を前記画素内で均一に配置する事を特徴とする請求項１記載の表示装置。
【請求項３】
前記画素を、縦方向又は横方向に３分割したいずれの際にも、前記３分割した全ての領域に、前記画素を構成する全ての色が配置される事を特徴とする請求項１又は２に記載の表示装置。
【請求項４】
前記画素は、複数の副画素から構成されており、
前記副画素は、少なくとも３色で構成されていることを特徴とする請求項１乃至３に記載の表示装置。
【請求項５】
請求項１乃至４のいずれかに記載の表示装置を含む電子機器。
【発明の詳細な説明】
【技術分野】
【０００１】
本発明は、表示装置及び表示装置を用いた電子機器に関する。
【背景技術】
【０００２】
表示装置としては、液晶表示装置や有機ＥＬ（エレクトロルミネセンス）表示装置などが知られている。このうち、有機ＥＬ表示装置は、電気光学素子が有機ＥＬ材料からなり、自然光、広視野角、薄型、高速応答、低消費電力といった優れた特徴を備えると共に、ポリシリコンＴＦＴ（薄膜トランジスタ）を用いた周辺回路により、更なる小型化、軽量化が実現できることから注目されている。
【０００３】
ところで、この種の有機ＥＬ表示装置は現在、３原色の色度により決定する色再現範囲（色度範囲）が小さい。一方、液晶表示装置、ＣＲＴ方式表示装置やプラズマ表示装置等では、赤（Ｒ）、緑（Ｇ）、青（Ｂ）以外のシアン（Ｃ）、マゼンダ（Ｍ）、イエロー（Ｙ）等の色を加える多色化によって色再現範囲の広域化を図るという提案がされている。（例えば特許文献１）。
【特許文献１】特開平３−９２８８８号公報
【発明の開示】
【発明が解決しようとする課題】
【０００４】
多色化技術は、有機ＥＬ表示装置においても、色再現範囲が小さいという問題を解決する手法の一つとして注目されている。そこで、有機ＥＬ表示装置において、上記の問題を解決する手法として多色化の効果の度合い、また、どの色を加えるのが有効であるか等を正確に評価する必要がある。しかし、現在の画素配置では、赤、緑、青の３原色だけで表現された絵と３原色に他の色を加えた４色以上で表現された絵を比較し多色化の効果を調べる際に、図１に示すように３原色だけを発光させると、１画素での発光部が偏る。そのために、正確な多色化の効果評価を行うことが困難である。よって、本発明は正確な多色化効果評価を行うことを可能とする表示装置及び電子機器を提供することを目的とする。
【課題を解決するための手段】
【０００５】
上記目的を達成するため本発明の表示装置は、データ入力部とデータ変換部と電気光学装置とを備える表示装置であって、上記電気光学装置は、赤、緑、青の３原色に、色度図上の上記３原色の各点を結んで形成される三角形状の領域以外の色度図上の点として規定される他の色を加えた４色以上の色を表示する表示部を備えており、上記データ変換部は上記３原色と上記４色以上を切り替えて表示する事を特徴とする。
【０００６】
また、上記表示部は、複数の画素で構成されており、上記３原色での表示時と上記４色以上での表示時の双方において、上記画素を構成する各色を上記画素内で均一に配置する事を特徴とする。
【０００７】
上記画素は、縦方向又は横方向に３分割したいずれの際にも、上記３分割した全ての領域に、上記画素を構成する全ての色が配置される事を特徴とする。
上記画素は、複数の副画素から構成されており、上記副画素は、少なくとも３色で構成されていることを特徴とする。
【０００８】
また、本発明の電子機器は、上述した表示装置を含むことを特徴とする。
【発明の効果】
【０００９】
本発明の画素配置にすることにより、赤、緑、青の３原色のみで表示させた絵と３原色に他の色を加えた４色以上で表示させた絵を切り替えて表示し比較する際に、３原色のみで絵を表示させた際に表示される画素の偏りがなくなり、より正確な多色化効果評価が可能となる。
【発明を実施するための最良の形態】
【００１０】
本発明においては、データ変換部において、任意に３原色表示と４色以上表示を切り替える。表示部は１画素が複数の副画素で構成し、１副画素は３ドット（３色）以上で構成し、１画素内の全ドットに全色を均等になるように配置する。それにより、３原色のみで表示させた絵と４色以上で表示させた絵を切り替えて表示し比較する際に、３原色のみで絵を表示させた際に発光する画素の偏りがなくなり、より正確な比較が可能となる。
【実施例１】
【００１１】
以下、本発明の実施例について図面を参照しつつ説明する。
図２（Ａ）は、本発明の表示装置の一例である有機ＥＬ表示装置の電気的接続を示すブロック図である。同図において、有機ＥＬ表示装置は、本発明に係るデータ入力部である第１メモリ２０、データ変換部２１、スイッチ２２、第２メモリ２３、データドライバ２４、走査ドライバ２５、表示部２６及びタイミングコントローラー２７を備えている。また、図２（Ｂ）は、本発明に係る電気光学装置である、データドライバ２４、走査ドライバ２５、表示部２６の構成を示している。同図において、表示部２６は、走査線２８、データ線２９、画素３０を備えている。第１メモリ２０には、画像ソースから画像データが３色（Ｒ，Ｇ，Ｂ）で送られてくる。上記画像データは、第１メモリ２０で１フレーム分蓄えられ、タイミングコントローラー２７で決められたタイミングで、画像データが送り出される。次に、データ変換部２１で、第１メモリ２０から送られてくる画像データを、３色変換回路２１aもしくは、４色変換回路２１bに入力し、画像データを変換する。３色変換回路２１aでは、３色（Ｒ，Ｇ，Ｂ）で送られてくる画像データを（Ｒ、Ｇ、Ｂ、Ｘ）と変換する。その際にＸはＸ＝０（非発光）とする。４色変換回路２１bでは、３色（Ｒ、Ｇ、Ｂ）で送られてくる画像データを４色（Ｒ、Ｇ、Ｂ、Ｘ）に変換する。３色変換もしくは４色変換かを決定するのは、次に接続されている切り替えスイッチ２２により決める。次に、変換された画像データが第２メモリ２３に１フレーム分蓄えられ、駆動方式に応じた順番で画像データが送り出される。データドライバ２４は、タイミングコントローラー２７により決められたタイミングで第２メモリ２３より画像データを表示部２６に送る。また、走査ドライバ２５は、データドライバ２４からデータ線２９に画像データが送られるのとタイミングを合わせて、走査線２８を選択する。
【００１２】
図３は、本発明の上記表示部の画素回路図の一例である。同図の駆動方式は、有機ＥＬ表示装置の代表的な駆動方式である２トランジスタ方式であり、２つのトランジスタ（選択トランジスタ３１、駆動トランジスタ３２）と１つのキャパシタ３３で構成されている。簡単に動作を説明すると、走査線２８が選択され、選択トランジスタ３１をＯＮにすると、データ線２９から送られる信号電圧がキャパシタ３３に書き込まれ、同時に駆動トランジスタ３２のゲート電圧ＶGSが決まる。そのゲート電圧ＶGSと電源線３４より送られてくる電源電圧により決まる電流がＯＬＥＤ３５に流れ、発光する。次に、走査線２８の次の走査線が選択されると、選択トランジスタ３１はＯＦＦになるが、キャパシタ３３に書き込まれた電圧は保持されているので、次に走査線２８が選択されるまで駆動トランジスタ３２のゲート電圧ＶGSは一定である。つまり、次に走査線２８が選択されるまでＯＬＥＤ３５に電流が流れ続け、発光し続ける。上記回路で称されるトランジスタは薄膜トランジスタ（ＴＦＴ）である。
【００１３】
図４は、本発明の表示装置の１画素を構成する色の配置図である。１つの画素３０は、４つの副画素４０で構成されている。１つの副画素４０は、３色（３ドット）で構成されている。１ドットは、図３の画素回路により構成されている。また、３色の組み合わせは、例えば（Ｒ、Ｇ、Ｂ）、（Ｘ、Ｒ、Ｂ）、（Ｘ、Ｂ、Ｇ）、（Ｒ、Ｇ、Ｘ）である。本例の配置の方法は、例えばＸに注目すると、画素３０をデータ線方向に３分割した場合又は画素３０を走査線方向に３分割した場合、どちらの場合においても、Ｘは分割したすべてのエリアに配置してある。他の色も同様に配置してある。このように、バランスよく色を配置する。一方、図１は、従来の画素配置であり、例えばＸに注目すると、画素３０をデータ線方向に３分割した時に１つのエリアのみにしか存在しない。よって、本発明の画素配置を用いれば、例えば、３原色のみで表示するモードと４色で表示するモードを切り替えて多色化効果評価を行う時に、従来までの画素配置よりも発光部の偏りが少ないので、より正確な多色化効果評価が行える。
【００１４】
次に、本実施例における色再現の方法について説明する。一般に、赤、緑、青の３原色のみを有する表示装置では、色再現の可能な範囲が、図５（Ａ）に示す、ＣＩＥ（Commission International de I'Eclairage）のｘｙ色度図上で、３原色に対応するＲ、Ｇ、Ｂの色度点を頂点とする３角形内に限られる。これに対し、４色（Ｒ、Ｇ、Ｂ、Ｘ）表示装置では、さらに色度点Ｘに対応する発光体を有しており、Ｒ、Ｇ、Ｂ、Ｘの各色度点で表される４角形の内部の色を再現することが可能である。図５中で、５１はＲ発光体の色度点、５２はＧ発光体の色度点、５３はＢ発光体の色度点、５４はＸ発光体の色度点を現わしている。Ｒ、Ｇ、Ｂの３原色発光体のみを有する一般の再生装置を用いた場合、Ｒ、Ｇ、Ｂの色度点によって形成される３角形の内部の色度点に対応する色しか再生できない。これに対し、４色を有する表示装置では、Ｒ、Ｇ、Ｂ、Ｘの４種の発光体を用いているので、Ｒ、Ｇ、Ｂ、Ｘの色度点からなる４角形の内部の色度点に対応する色を再現できる。このため、従来の３原色による表示装置では再現できなかった色も再現可能となる。
【００１５】
次に、図２（Ａ）のデータ変換部２１において、入力データとして通常使用されるＲＧＢ信号を、変換回路で４種類の色からなる画像データに変換する方法について説明する。例えば、表示装置の１つの画素が赤（Ｒ）、緑（Ｇ）、青（Ｂ）、シアン（Ｃ）の４色から構成されている場合において、画素上にシアン色を表示することを考える。ＲＧＢ信号におけるシアン色は、補色関係にある赤色信号の強度が０とされ、図５（Ｂ）のＲ、Ｇ、Ｂの各点からなる三角形の辺ＧＢ上の点Ａ１として規定される。このＲＧＢ信号をデータ変換部で変換することにより、正しいシアン色である点Ｃの色を画素上で表示することが可能となる。データ変換部による変換は、変換回路の内部に、ＲＧＢ信号をＲＧＢＣ信号に変換する関数を設定し、入力されたＲＧＢ信号を演算処理してＲＧＢＣ信号を求めることも考えられるが、最も簡便な方法としては、ＲＧＢ信号とＲＧＢＣ信号とを対応させたＬＵＴ（Ｌｏｏｋ Ｕｐ Ｔａｂｌｅ）を予め変換回路の内部のメモリ（図示せず）に保存しておき、所定のＲＧＢ信号が変換回路に入力されたら、これに対応するＲＧＢＣ信号をＬＵＴから呼び出し、変換回路は、このＲＧＢＣ信号を出力すればよい。
【００１６】
本発明において、画素を構成する色の塗り分け方法としては、インクジェット法が好ましい。本発明の色の配置方法は、様々なパターンが考えられる。そこで、様々な色の配置を塗り分ける必要がある。色の塗り分け方は、様々な方法が可能であるが、その中でもインクジェット法は、最も容易な方法の一つである。
【００１７】
本発明の表示装置として、アクティブマトリクス有機ＥＬ表示装置を例として挙げてきたが、例えば、液晶表示装置、プラズマ表示装置等も考えられる。また、駆動方式は、アクティブマトリクス、パッシブマトリクスを問わず、採用することができる。
また、本実施例では、上記他の色として１色を加えた例を示してあるが、他の色として加える色は、本実施例に限定されず、２色以上であっても可能である。
【実施例２】
【００１８】
データ変換部２１の構成は、図２（Ａ）に記載のものに限らない。例えば、５色変換回路を備える事や、４色変換回路を複数備えること等が考えられる。
１画素を構成する色の配置は、図４に記載のものに限らない。例えば、図６（Ａ）に示すように、１副画素を４色で構成することも可能である。また、図６（Ｂ）に示すように、１画素を３原色に他の色２色を加えた、５色（Ｒ、Ｇ、Ｂ、Ｘ、Ｙ）で構成することも可能である。また、図６（Ｃ）（Ｄ）に示すような配置も可能である。いずれの配置も、例えばＲに注目すると、画素を縦方向又は横方向に３分割した場合、いずれの場合においても、全ての領域に配置してある。他の色も同様に配置してある。つまり、加える色数やドットのサイズ、配置順に限定はなく、３原色のみで表示させた絵と４色以上で表示させた絵を切り替えて表示し比較する際に、３原色のみで絵を表示させた際に発光する画素の偏りがなくなり、より正確な比較が可能となる配置であればよい。
【実施例３】
【００１９】
図７及び図８は、上述した表示装置を適用可能な電子機器の例を示す図である。図７（Ａ）は携帯電話への適用例であり、当該携帯電話２３０はアンテナ部２３１、音声出力部２３２、音声入力部２３３、操作部２３４、および本発明の表示装置２００を備えている。このように本発明に係る表示装置は表示部として利用可能である。図７（Ｂ）はビデオカメラへの適用例であり、当該ビデオカメラ２４０は受像部２４１、操作部２４２、音声入力部２４３、および本発明の表示装置２００を備えている。
【００２０】
図７（Ｃ）は携帯型パーソナルコンピュータ（いわゆるＰＤＡ）への適用例であり、当該コンピュータ２５０はカメラ部２５１、操作部２５２、および本発明に係る表示装置２００を備えている。図７（Ｄ）はヘッドマウントディスプレイへの適用例であり、当該ヘッドマウントディスプレイ２６０はバンド２６１、光学系収納部２６２および本発明に係る表示装置２００を備えている。
【００２１】
図７（Ｅ）はリア型プロジェクターへの適用例であり、当該プロジェクター２７０は筐体２７１に、光源２７２、合成光学系２７３、ミラー２７４、２７５、スクリーン２７６、および本発明に係る表示装置２００を備えている。図７（Ｆ）はフロント型プロジェクターへの適用例であり、当該プロジェクター２８０は筐体２８２に光学系２８１および本発明に係る表示装置２００を備え、画像をスクリーン２８３に表示可能になっている。
【００２２】
図８（Ａ）はテレビジョンへの適用例であり、当該テレビジョン３００は本発明に係る表示装置２００を備えている。なお、パーソナルコンピュータ等に用いられるモニタ装置に対しても同様に本発明に係る表示装置を適用し得る。図８（Ｂ）はロールアップ式テレビジョンへの適用例であり、当該ロールアップ式テレビジョン３１０は本発明に係る表示装置２００を備えている。
【図面の簡単な説明】
【００２３】
【図１】図１は、一般的に用いられる画素の色配置図である。
【図２】図２は、本発明の表示装置の一例である有機ＥＬ表示装置の電気的接続を示すブロック図である。
【図３】図３は、図２の表示部の画素回路図の一例である。
【図４】図４は、本発明の表示装置の１画素を構成する色配置図の一例である。
【図５】図５は、多色化効果を説明する図である。
【図６】図６は、他の色配置の例を示す図である。
【図７】図７は、表示装置を適用可能な電子機器の例を示す図である。
【図８】図８は、表示装置を適用可能な電子機器の例を示す図である。
【符号の説明】
【００２４】
２０  第１メモリ、  ２１  データ変換部、  ２１a  ３色変換回路、  ２１b  ４色変換回路、  ２２  スイッチ、  ２３  第２メモリ、  ２４  データドライバ、  ２５  走査ドライバ、  ２６  表示部、  ２７  タイミングコントローラー、  ２８走査線、  ２９  データ線、  ３０  画素、  ３１  選択トランジスタ、  ３２  駆動トランジスタ、  ３３  キャパシタ、  ３４  電源線、  ３５  ＯＬＥＤ、  ４０  副画素、  ５１  Ｒ発光体の色度点、  ５２  Ｇ発光体の色度点、  ５３  Ｂ発光体の色度点、  ５４  Ｘ発光体の色度点。
【図１】
2006276797.tif 000003
【図２】
2006276797.tif 000004
【図３】
2006276797.tif 000005
【図４】
2006276797.tif 000006
【図５】
2006276797.tif 000007
【図６】
2006276797.tif 000008
【図７】
2006276797.tif 000009
【図８】
2006276797.tif 000010